(57)【要約】      （修正有）【課題】操作するユーザにとって有用な情報をそのユーザだけが容易に取得することができ、これにより操作のための作業効率を向上させることが可能な画像処理装置並びにそれを備えた画像形成装置及び画像送信装置を提供する。【解決手段】操作画面を表示する表示部を備えた画像処理装置並びにそれを備えた画像形成装置及び画像送信装置において、ユーザ認証を行い、認証されたユーザ毎に表示部の操作画面に表示される機能に対してコメント情報を入力し、該入力されたコメント情報をユーザ毎にその機能に対応させて記憶部に記憶し、該記憶部に記憶したユーザ毎のコメント情報をその機能と共に記憶部から読み出し、該記憶部から読み出したコメント情報のうち認証されたユーザのコメント情報をその機能に対応させて出力する。【選択図】図７Ａ
2010004364.tif 000002
【特許請求の範囲】
【請求項１】
操作画面を表示する表示部を備えた画像処理装置において、
ユーザ認証を行うユーザ認証手段と、
前記ユーザ認証手段により認証されたユーザ毎に、前記表示部の操作画面に対してコメント情報を入力する入力手段と、
前記入力手段によって入力されたコメント情報のうち前記ユーザ認証手段により認証されたユーザのコメント情報を出力する出力手段と
を備えることを特徴とする画像処理装置。
【請求項２】
請求項１に記載の画像処理装置において、
前記入力手段は、前記表示部の操作画面に表示される機能に対してコメント情報を入力することが可能とされており、
前記出力手段は、前記入力手段によって入力されたコメント情報をその機能に対応させて出力することが可能とされていることを特徴とする画像処理装置。
【請求項３】
請求項２に記載の画像処理装置において、
前記入力手段は、各種設定を予め行っておくシステム設定モードにおいて操作画面に表示される機能に対するコメント情報を入力することが可能とされていることを特徴とする画像処理装置。
【請求項４】
請求項２又は３に記載の画像処理装置において、
前記入力手段は、各種機能の実行を行う機能実行モードにおいて操作画面に表示される機能に対するコメント情報を入力することが可能とされていることを特徴とする画像処理装置。
【請求項５】
請求項２から４の何れか一つに記載の画像処理装置において、
前記コメント情報は、文字のフリーコメントを含み、
前記入力手段は、前記表示部の操作画面に表示される機能に対して前記フリーコメントを入力することが可能とされており、
前記出力手段は、前記入力手段によって入力された前記フリーコメントをその機能に対応させて前記表示部に表示することが可能な表示制御手段を含むことを特徴とする画像処理装置。
【請求項６】
請求項２から５の何れか一つに記載の画像処理装置において、
前記コメント情報は、文字の定型コメントを含み、
前記入力手段は、前記表示部の操作画面に表示される機能に対して前記定型コメントを入力することが可能とされており、
前記出力手段は、前記入力手段によって入力された前記定型コメントをその機能に対応させて前記表示部に表示することが可能な表示制御手段を含むことを特徴とする画像処理装置。
【請求項７】
請求項５又は６に記載の画像処理装置において、
前記表示制御手段は、前記表示部の操作画面に表示される機能に対して選択操作されたときに該機能に対するコメント情報を前記表示部に表示することが可能とされていることを特徴とする画像処理装置。
【請求項８】
請求項７に記載の画像処理装置において、
前記表示制御手段は、前記表示部の操作画面に表示される機能に対して選択操作されたときに該機能に対するコメント情報を前記表示部に表示し、その後、引き続き該コメント情報を入力するための操作がなされたときに該コメント情報の入力動作を前記入力手段にて実行することが可能とされていることを特徴とする画像処理装置。
【請求項９】
請求項５又は６に記載の画像処理装置において、
前記表示制御手段は、前記表示部の操作画面に表示される機能に対するコメント情報を出力するための操作がなされたときに該コメント情報を前記表示部に表示することが可能とされていることを特徴とする画像処理装置。
【請求項１０】
請求項９に記載の画像処理装置において、
前記表示制御手段は、前記表示部の操作画面に表示される機能に対するコメント情報を出力するための操作がなされたときに該コメント情報を前記表示部に表示し、その後、引き続き該コメント情報を入力するための操作がなされたときに該コメント情報の入力動作を前記入力手段にて実行することが可能とされていることを特徴とする画像処理装置。
【請求項１１】
請求項５から１０の何れか一つに記載の画像処理装置において、
前記入力手段は、前記コメント情報に対して視覚的な修飾処理を施すことが可能とされており、
前記表示制御手段は、前記入力手段にて視覚的な修飾処理が施されたコメント情報を表示することが可能とされていることを特徴とする画像処理装置。
【請求項１２】
請求項５から１１の何れか一つに記載の画像処理装置において、
前記表示制御手段は、前記コメント情報を表示開始から所定の一定時間だけ表示することが可能とされていることを特徴とする画像処理装置。
【請求項１３】
請求項１から１２の何れか一つに記載の画像処理装置において、
前記コメント情報は、該コメント情報を該コメント情報に対するユーザの認証時にのみ出力するか、或いは全ユーザに対して出力するかを識別する出力切替用識別情報を含み、
前記入力手段は、前記コメント情報に対して前記出力切替用識別情報を入力することが可能とされており、
前記出力手段は、前記入力手段にて入力された前記出力切替用識別情報に基づき前記コメント情報を該コメント情報に対するユーザの認証時にのみ出力するか、或いは全ユーザに対して出力するかを切り替え可能とされていることを特徴とする画像処理装置。
【請求項１４】
請求項１から１３の何れか一つに記載の画像処理装置において、
前記入力手段は、前記出力手段にて前記コメント情報を出力するときの出力条件を入力することが可能とされており、
前記出力手段は、前記入力手段にて入力された出力条件に基づき前記コメント情報を出力することが可能とされていることを特徴とする画像処理装置。
【請求項１５】
請求項１から１４の何れか一つに記載の画像処理装置を備えたことを特徴とする画像形成装置。
【請求項１６】
請求項１から１５の何れか一つに記載の画像処理装置を備えたことを特徴とする画像送信装置。
【発明の詳細な説明】
【技術分野】
【０００１】
本発明は、デジタル複写機、プリンタ、ファクシミリ装置やデジタル複合機等の印刷機能を有する画像形成装置、又は、ファクシミリ装置やデジタル複合機等の送信機能を有する画像送信装置に備えられる画像処理装置並びにそれを備えた画像形成装置及び画像送信装置に関する。
【背景技術】
【０００２】
デジタル複写機、プリンタ、ファクシミリ装置やデジタル複合機等の印刷機能を有する画像形成装置は、近年、様々な機能（例えば、両面印刷、カラー印刷、縮小拡大印刷或いはジョブの操作手順を予め登録しておくジョブプログラム登録機能等の各種機能）が搭載されている。また、ユーザを認証する機能を備えた画像形成装置もある。
【０００３】
そして、この種の画像形成装置では、通常、ユーザにて入力操作される画像処理装置を備え、表示部の操作画面上に表示される表示情報を基にユーザにて所望の機能を実行するための操作が行われることで、該操作された機能が実行されるようになっている。
【０００４】
例えば、下記特許文献１には、操作手段からの操作者のユーザ名及びパスワードの入力により操作者認証手段が操作者を認証する際に、ジョブメモリ管理手段が、複数のコピー条件を組み合わせて登録しておいて該登録済みコピー条件を必要時に呼び出し可能に管理すると共に、該コピー条件の登録と呼び出しとを前記操作者認証手段で認証された操作者別に管理する画像形成装置が記載されている。
【０００５】
また、ファクシミリ装置やデジタル複合機等の送信機能を有する画像送信装置においても、様々な機能（例えば、ファクシミリ番号や電子メールアドレス等の相手先識別情報を予め登録しておくワンタッチ登録やグループ登録等の各種機能）を備えている。また、ユーザを認証する機能を備えた画像送信装置もある。
【０００６】
そして、この種の画像送信装置では、通常、ユーザにて入力操作される画像処理装置を備え、表示部の操作画面上に表示される表示情報を基にユーザにて相手先識別情報を予め登録するための操作が行われることで、該操作された相手先識別情報が登録されると共に、該登録された相手方へ送信するための操作が行われることで、該操作された相手方への送信が実行されるようになっている。
【０００７】
例えば、下記特許文献２には、正規ユーザに専用の個人電話帳と、グループに所属する正規ユーザのためのグループ電話帳と、ユーザに無関係な汎用電話帳とを備え、ユーザ認証の結果に基づき、個人電話帳、グループ電話帳及び汎用電話帳の何れかを利用可能とした通信端末装置が記載されている。
【０００８】
また、下記特許文献３には、送信先を定義した定義情報を記憶しており、選択された定義情報に基づいて画像データを送信する際に送信処理についての認否を判断し、送信処理が認められた場合に画像データを送信する画像送信装置が記載されている。
【特許文献１】特開２００３−１１８１７７号公報
【特許文献２】特開２００６−１１４９９２号公報
【特許文献３】特開２００６−１９１１９２号公報
【発明の開示】
【発明が解決しようとする課題】
【０００９】
ところが、従来の画像形成装置及び画像送信装置において、表示部の操作画面上に表示される表示情報を基にユーザが操作を行うにあたっては、かかる操作に対して有用な情報（例えば、操作マニュアル等には記載されているものの表示部には表示されることがないために操作するユーザにとって必要な情報であってもすぐに手に入れることができない実用的な情報や、注意事項等のユーザの個別的な情報、特定の操作対象に対する特定の操作方法等のノウハウ的な情報、業務での習慣的な決まりごと等のローカル的な情報）が必要であるにも拘わらず、操作を行うユーザは、かかる操作に対する有用な情報を容易に取得できてないのが実情である。
【００１０】
具体的には、画像形成装置において、注文書等の書類をコピーする場合、特定のフォームでは枠を１ｃｍ分消去することが定型業務となっていたり、或いは、画像送信装置において、書類を送信する場合、相手先によっては送信後に電話で連絡する等の業務が必要であったりする。このようなときには、従来は、コピー毎に、或いは、送信する毎に原稿にメモ書きを添えるなどの作業を行うといった煩雑な作業が必要であり、このことは、コピー操作や送信操作等の操作のための作業効率の低下を招く要因になっていた。
【００１１】
さらに、有用な情報の中には、操作するユーザにとっては有用な情報であっても、他のユーザにとっては必要でない情報があり、或いは、操作するユーザだけに秘密にしておくべき情報（例えば営業上の機密事項等の情報）もある。すなわち、操作するユーザだけが有用な情報を取得できればよい場合もある。
【００１２】
本発明は、前記課題に鑑みてなされたものであり、操作するユーザにとって有用な情報をそのユーザだけが容易に取得することができ、これにより操作のための作業効率を向上させることが可能な画像処理装置並びにそれを備えた画像形成装置及び画像送信装置を提供することを目的とする。
【課題を解決するための手段】
【００１３】
本発明は、前記課題を解決するために、操作画面を表示する表示部を備えた画像処理装置において、ユーザ認証を行うユーザ認証手段と、前記ユーザ認証手段により認証されたユーザ毎に、前記表示部の操作画面に対してコメント情報を入力する入力手段と、前記入力手段によって入力されたコメント情報のうち前記ユーザ認証手段により認証されたユーザのコメント情報を出力する出力手段とを備えることを特徴とする画像処理装置を提供する。また、本発明は、前記本発明に係る画像処理装置を備えたことを特徴とする画像形成装置及び画像送信装置も提供する。
【００１４】
本発明に係る画像処理装置並びに画像形成装置及び画像送信装置では、前記入力手段が前記ユーザ認証手段により認証されたユーザ毎に前記表示部の操作画面に対して、ユーザにとって有用なコメント情報を入力し、前記出力手段が前記入力手段にて入力されたコメント情報のうち前記ユーザ認証手段により認証されたユーザのコメント情報を出力する。
【００１５】
このように、本発明によれば、ユーザ認証を行い、前記表示部の操作画面に対するコメント情報として、ユーザにとって有用な情報を入力し、そのユーザのコメント情報を出力することで、ユーザにとって有用な情報をそのユーザだけが容易に取得することが可能となり、それだけ、該操作のための作業効率を向上させることができる。さらに、他のユーザにとっては必要でない情報や他のユーザに秘密にしておくべき情報を該他のユーザが取得できないようにすることができる。
【００１６】
本発明において、前記入力手段は、前記表示部の操作画面に表示される機能に対してコメント情報を入力することが可能とされており、前記出力手段は、前記入力手段によって入力されたコメント情報をその機能に対応させて出力することが可能とされている態様を例示できる。
【００１７】
かかる態様において、前記入力手段は、各種設定を予め行っておくシステム設定モードにおいて操作画面に表示される機能に対するコメント情報を入力することが可能とされている態様を例示できる。ところで、ユーザは、各種機能の実行を行う機能実行モードにおいて前記コメント情報を入力したい場合がある。この場合、前記機能実行モードを終了して前記システム設定モードに移行した後にコメント情報を入力する必要があり、入力作業に負荷がかかる。かかる観点から、本発明において、前記入力手段は、各種機能の実行を行う機能実行モードにおいて操作画面に表示される機能に対するコメント情報を入力することが可能とされていることが好ましい。こうすることで、ユーザは、前記機能実行モードにおいて前記コメント情報を入力することが可能となり、それだけ作業負担を軽減させることができる。
【００１８】
前記コメント情報としては、文字情報（例えば、文字のフリーコメント及び／又は文字の定型コメント）を含む態様を例示できる。
【００１９】
本発明において、前記コメント情報が文字情報を含む場合、前記入力手段は、前記表示部の操作画面に表示される機能に対して文字のコメント情報（例えば、フリーコメント及び／又は定型コメント）を入力することが可能とされており、前記出力手段は、前記入力手段によって入力された文字のコメント情報をその機能に対応させて前記表示部に表示することが可能な表示制御手段を含む態様を例示できる。
【００２０】
本発明において、前記表示制御手段の具体的態様として、次の（ａ）から（ｃ）の態様を例示できる。すなわち、
（ａ）前記表示制御手段は、前記表示部の操作画面に表示される機能に対するコメント情報をその機能に対応させて一律に表示することが可能とされている態様を例示できる。
【００２１】
この特定事項では、ユーザは、前記表示部の操作画面に表示される全ての機能に対するコメント情報を確認することができる。
【００２２】
（ｂ）前記表示制御手段は、前記表示部の操作画面に表示される機能に対して選択操作されたときに該機能に対するコメント情報を前記表示部に表示することが可能とされている態様を例示できる。
【００２３】
この特定事項では、前記表示部の操作画面に表示される機能に対するコメント情報をユーザが該機能に対して選択操作したときにのみ表示することできる。
【００２４】
前記（ｂ）の態様において、前記表示制御手段は、前記表示部の操作画面に表示される機能に対して選択操作されたときに該機能に対するコメント情報を前記表示部に表示し、その後、引き続き該コメント情報を入力するための操作がなされたときに該コメント情報の入力動作を前記入力手段にて実行することが可能とされている態様を例示できる。
【００２５】
この特定事項では、前記表示部の操作画面に表示された機能に対して選択操作されたときに表示されるコメント情報をユーザが確認した上で該コメント情報の追加更新を行うことができる。
【００２６】
（ｃ）前記表示制御手段は、前記表示部の操作画面に表示される機能に対するコメント情報を出力するための操作がなされたときに該コメント情報を前記表示部に表示することが可能とされている態様を例示できる。
【００２７】
この特定事項では、前記表示部の操作画面に表示される機能に対するコメント情報をユーザが確認したいときにのみ表示することできる。
【００２８】
前記（ｃ）の態様において、前記表示制御手段は、前記表示部の操作画面に表示される機能に対するコメント情報を出力するための操作がなされたときに該コメント情報を前記表示部に表示し、その後、引き続き該コメント情報を入力するための操作がなされたときに該コメント情報の入力動作を前記入力手段にて実行することが可能とされている態様を例示できる。
【００２９】
この特定事項では、前記表示部の操作画面に表示された機能に対して選択操作されたときに表示されるコメント情報をユーザが確認した上で該コメント情報の追加更新を行うことができる。
【００３０】
本発明において、前記入力手段は、前記コメント情報に対して視覚的な修飾処理を施すことが可能とされており、前記表示制御手段は、前記入力手段にて視覚的な修飾処理が施されたコメント情報を表示することが可能とされていることが好ましい。この視覚的な修飾処理としては、コメントの色指定、コメントのフォントの種類、コメントの文字の大きさ、コメントを囲むコメント枠の有無、前記コメント枠の色指定、前記コメント枠の線種指定等の処理を例示できる。
【００３１】
この特定事項では、前記コメント情報に対して視覚的に修飾することで、コメントをユーザに対して効果的に注意喚起させることができる。
【００３２】
本発明において、前記コメント情報を前記表示部の操作画面に機能の表示がなされた状態で表示する際に、該機能表示とは別の箇所に表示してもよいし、該機能表示を隠蔽するように表示してもよい。このうち、前記コメント情報を前記表示部の操作画面に機能の表示がなされた状態で該機能表示を隠蔽するように表示する場合には、前記機能表示が前記コメント情報に隠蔽されてしまい、該機能表示を視認することができないため、本発明においては、前記表示制御手段は、前記コメント情報を表示開始から所定の一定時間だけ表示することが可能とされていることが好ましい。こうすることで、前記機能表示が前記コメント情報に隠蔽されていても前記所定時間経過後は該機能表示を視認できるようにすることができる。
【００３３】
ところで、前記コメント情報の中には、認証されたユーザとは別のユーザにとって必要なコメント情報が存在する場合もある。かかる観点から、本発明において、前記コメント情報は、該コメント情報を該コメント情報に対するユーザの認証時にのみ出力するか、或いは全ユーザに対して出力するかを識別する出力切替用識別情報を含み、前記入力手段は、前記コメント情報に対して前記出力切替用識別情報を入力することが可能とされており、前記出力手段は、前記入力手段にて入力された前記出力切替用識別情報に基づき前記コメント情報を該コメント情報に対するユーザの認証時にのみ出力するか、或いは全ユーザに対して出力するかを切り替え可能とされている態様を例示できる。
【００３４】
この特定事項では、認証されたユーザとは別のユーザにとって必要なコメント情報を該別のユーザにも知らせることができる。
【００３５】
本発明において、前記入力手段は、前記出力手段にて前記コメント情報を出力するときの出力条件を入力することが可能とされており、前記出力手段は、前記入力手段にて入力された出力条件に基づき前記コメント情報を出力することが可能とされている態様を例示できる。この出力条件としては、例えば、前記表示制御手段にて前記コメント情報を表示開始から所定の一定時間だけ表示する場合の表示時間の設定条件や、前記表示制御手段による前記コメント情報の前記表示部への表示の仕方に関する表示条件（例えば、前記（ａ）から前記（ｃ）の態様のうち何れを選択するかの条件、或いは前記出力切替用識別情報を利用するか否かの条件）等を例示できる。
【発明の効果】
【００３６】
以上説明したように、本発明によると、ユーザ認証を行い、前記表示部の操作画面に対するコメント情報として、ユーザにとって有用な情報を入力し、そのユーザのコメント情報を出力することで、操作するユーザにとって有用な情報をそのユーザだけが容易に取得することができ、これにより操作のための作業効率を向上させることができる。さらに、他のユーザにとっては必要でない情報や他のユーザに秘密にしておくべき情報を該他のユーザが取得できないようにすることができる。
【発明を実施するための最良の形態】
【００３７】
以下、本発明の実施形態に係る画像処理装置を備えた画像形成装置及び画像送信装置を、プリント機能、コピー機能、ファクシミリ送受信機能等を有するデジタル複合機に適用した形態について、その実施の形態を示す添付図面を参照しつつ具体的に説明する。なお、以下の実施の形態は、本発明を具体化した一例であって、本発明の技術的範囲を限定する性格のものではない。
【００３８】
図１は、本実施の形態に係るデジタル複合機を用いて構築される画像処理システムの全体構成を示す模式図である。
【００３９】
図中の符号１００は、本実施の形態に係るデジタル複合機である。このデジタル複合機１００には通信網を介して各種の外部機器が接続されている。例えば、ローカルな通信網として敷設されている通信ネットワークＬＮには、パーソナルコンピュータ等の外部コンピュータ２００が接続されおり、図示を省略したゲートウェイ等の接続手段を介して接続されているインターネット網ＩＮには外部コンピュータ３００及びインターネットファクシミリ装置４００（以下では単にファクシミリ装置４００という）が接続されている。また、公衆電話回線網ＰＮを介して外部のファクシミリ装置５００が接続されている。
【００４０】
図２は、デジタル複合機１００の内部構成を示すブロック図である。デジタル複合機１００はＣＰＵ等の処理装置を含む制御部１０１と、ＲＯＭ及びＲＡＭ等のメモリを含む主記憶部１０３とを備えている。なお、制御部１０１は、本発明の実施形態に係る画像処理装置の制御部としても機能するようになっている。
【００４１】
詳しくは、デジタル複合機１００は、制御部１０１のＣＰＵが主記憶部１０３のＲＯＭに予め格納された制御プログラムを主記憶部１０３のＲＡＭ上にロードして実行することにより、バス１０２を介して接続されたハードウェアを制御し、全体として画像形成装置及び画像送信装置として動作させるようになっている。
【００４２】
以下、バス１０２に接続されている各種ハードウェアの構成について説明する。管理部１０５は、不揮発性の半導体メモリにより構成されており、その記憶領域の一部は、宛先の電子メールアドレス、ファクシミリ番号等の相手先識別情報を管理する相手先管理テーブル１０５ａ、実行した処理の履歴を管理する履歴管理テーブル１０５ｂ、認証コード（ここではユーザを識別するユーザ識別コード及びパスワード）を管理する認証コード管理テーブル１０５ｃ、各種機能の表示情報を管理する機能情報管理テーブル１０５ｄとして利用されている。
【００４３】
操作パネル１０６は、ユーザによる操作を受付けるための操作部１０７と、ユーザに対して報知すべき情報を表示するための表示部１０８とにより構成されている。操作部１０７は、機能の切替操作、プリント処理における出力枚数、コピー処理における変倍、ファクシミリ送信処理における送信先等の入力を受付けるために各種操作キー、数値キー等の操作部材を備えている。表示部１０８は表示装置（例えば液晶ディスプレイ装置）を備えており、デジタル複合機１００の動作状況、操作部１０７から入力された設定値等の表示情報を表示する。また、表示部１０８には、ユーザの表示画面への入力操作（例えば押下操作）により各種の選択操作を受付けるようにしたソフトウェアキーを有するタッチパネル方式の入力装置が設けられている。
【００４４】
画像読取部１０９は、読取用の原稿を載置するための原稿台、読取用の原稿に光を照射する光源、ＣＣＤ（Charge Coupled Device）のようなイメージセンサ、ＡＤ変換器等の光学部材（何れも不図示）を備えている。そして、画像読取部１０９は、所定の読取り位置にセットされた原稿の画像を当該イメージセンサに結像させてアナログ電気信号に変換し、得られたアナログ電気信号をＡＤ変換器によりデジタル信号にＡＤ変換し、得られたデジタル信号に対して、原稿読取時の光源の配光特性、イメージセンサの感度ムラ等の補正を施すことによりデジタル形式の画像データを生成するようになっている。
【００４５】
画像メモリ１１０は、例えば揮発性のページメモリであり、画像読取部１０９にて取得した画像データ、プリントジョブから展開される画像データや、ファクシミリデータから展開される画像データ等の各種画像データを一時的に記憶するようになっている。画像メモリ１１０は、一時的に記憶された画像データが制御部１０１の指示によりその利用目的に応じた転送先へ転送されるようになっている。すなわち、一時的に記憶された画像データは、用紙上に画像形成を行う場合には画像形成部１１１へ、ファイリング機能を利用して保存する場合には大容量記憶メモリ（ここではハードディスク装置（ＨＤＤ））１１２へ、電子メールとして送信する場合には相手先アドレスの情報を含んだ電子メールに添付された後に通信ＩＦ１１３へ、また、ファクシミリデータとして送信する場合にはファクシミリモデム１１４へそれぞれ転送される。
【００４６】
画像形成部１１１は、画像メモリ１１０から転送されてきた画像データに基づいて用紙上に画像形成を行う。詳しくは、画像形成部１１１は、感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等の画像形成部材（何れも不図示）を備えている。そして、画像形成部１１１は、電子写真方式にてユーザが所望する画像を用紙上に形成するようになっている。なお、レーザ書込装置を用いた電子写真方式により画像形成を行う他、インクジェット方式、熱転写方式、昇華方式等により画像形成を行う構成であってもよい。
【００４７】
ＨＤＤ１１２は、ハードディスクコントローラ及びディスク状の磁気記録媒体を有するハードディスク装置である。そして、ＨＤＤ１１２は、制御部１０１がハードディスクコントローラに指示を与えることにより、データの書込処理又は読出処理が行われるようになっている。また、ＨＤＤ１１２は、記憶領域の一部が画像データを記憶するためのデータエリアとして利用されており、操作パネル１０６を通じて要求を受付けた場合、又は通信ＩＦ１１３を介して外部コンピュータ２００，３００からの要求を受信した場合、データエリアに記憶されている画像データを読出すようになっている。従って、このデジタル複合機１００では、プリント処理の失敗又は出力部数の不足等のためにプリント処理を再度実行する必要がある場合には、データエリアに記憶されている画像データを任意に読出してプリント処理を実行させることができる。なお、本実施の形態では、ＨＤＤ１１２は、記憶領域の一部がコメント情報管理テーブル１１２ａ（後述する図４参照）として利用することができる。
【００４８】
通信ＩＦ１１３は、通信ネットワークＬＮの通信規格に準拠した通信インタフェースを備えており、通信ネットワークＬＮ及びインターネット網ＩＮへ接続できるようになっている。かかる構成を備えた通信ＩＦ１１３では、接続された通信ネットワークＬＮ上の外部コンピュータ２００からプリントジョブを受信すると共に、インターネット網ＩＮ上の外部コンピュータ３００から送信される電子メール、ファクシミリ装置４００から送信されるファクシミリデータを受信することができる。また、通信ＩＦ１１３では、外部コンピュータ２００へ通知すべき情報を送信すると共に、インターネット網ＩＮ上の外部コンピュータ３００へ電子メールを送信し、ファクシミリ装置４００へファクシミリデータを送信することができる。このように、通信ＩＦ１１３は、各種データの送受信の制御を行うことができるようになっている。
【００４９】
ファクシミリモデム１１４は、公衆電話回線網ＰＮを介して外部のファクシミリ装置５００へ接続するための回線終端回路を備えており、接続されたファクシミリ装置５００に対してファクシミリデータを送受信できるようになっている。詳しくは、ファクシミリモデム１１４は、受信したファクシミリデータを復号するための復号回路と、送信すべきファクシミリデータを符号化するための符号化回路とを備えている。そして、ファクシミリモデム１１４は、このようなファクシミリデータの符号化処理及び復号処理、並びに符号化されたファクシミリデータの送受信処理を実行することができる。
【００５０】
［本発明の特徴部分の説明］
本実施の形態では、制御部１０１は、使用目的や使用状況に応じて各種設定を予め行っておくシステム設定モードと、各種機能を実行する機能実行モードとを実行可能となっている。なお、システム設定モードで行われる設定としては、特に限定されるものではないが、例えば、ワンタッチ登録やグループ登録、特別機能等の設定が挙られる。また、機能実行モードで行われる機能としては、特に限定されるものではないが、例えば、両面印刷、カラー印刷、縮小拡大印刷、ジョブプログラム登録機能等の各種印刷機能や、公衆回線及びインターネットによるファクシミリ送信等の各種送信機能が挙げられる。
【００５１】
そして、本実施形態に係るデジタル複合機１００は、ユーザ認証を行うユーザ認証手段と、前記ユーザ認証手段により認証されたユーザ毎に、表示部１０８の操作画面に対してコメント情報を入力する入力手段と、前記入力手段によって入力されたコメント情報のうち前記ユーザ認証手段により認証されたユーザのコメント情報を出力する出力手段とを備えている。詳しくは、このデジタル複合機１００は、ユーザにより操作された操作情報が入力される操作部１０７と、ユーザの認証情報を記憶する認証情報記憶部（ここでは認証コード管理テーブル１０５ｃ）と、各種機能の表示情報（機能情報）を記憶する機能情報記憶部（ここでは機能情報管理テーブル１０５ｄ）と、コメント情報を記憶するコメント情報記憶部（ここではコメント情報管理テーブル１１２ａ）と、機能情報記憶部に記憶された機能情報に基づき複数の操作画面を選択的に表示する表示部１０８と、画像処理装置の制御を司る制御部（ここではデジタル複合機１００全体を制御する制御部１０１）とを備えている。なお、本実施の形態では、認証情報記憶部は、管理部１０５の認証コード管理テーブル１０５ｃによって構成されており、機能情報記憶部は、管理部１０５の機能情報管理テーブル１０５ｄによって構成されており、コメント情報管理部は、ＨＤＤ１１２の一部のコメント情報管理テーブル１１２ａによって構成されている。
【００５２】
制御部１０１は、のちほど詳しく説明するが、認証情報記憶部（以下、認証コード管理テーブル１０５ｃという）に記憶されているユーザの認証情報によりユーザ認証を行うユーザ認証手段と、前記ユーザ認証手段により認証されたユーザ毎に、表示部１０８の操作画面に表示される機能情報（ここでは機能情報管理テーブル１０５ｄに記憶されている機能情報）に対してコメント情報を入力する入力制御手段と、この入力制御手段によって入力されたコメント情報をユーザ毎にその機能情報に対応させてコメント情報記憶部（以下、コメント情報管理テーブル１１２ａという）に記憶する記憶制御手段と、この記憶制御手段によってコメント情報管理テーブル１１２ａに記憶したユーザ毎のコメント情報をその機能情報と共にコメント情報管理テーブル１１２ａから読み出す読出制御手段と、この読出制御手段によってコメント情報管理テーブル１１２ａから読み出したコメント情報のうちユーザ認証手段により認証されたユーザのコメント情報をその機能情報に対応させて出力する出力制御手段とを備えるように構成されている。
【００５３】
本実施形態に係るデジタル複合機１００によると、ユーザ認証を行い、表示部１０８の操作画面に対するコメント情報として、認証されたユーザにとって有用な情報（例えば、注文書等の書類をコピーする場合での「枠を１ｃｍ分消去する」といったコメントや、書類を送信する場合での「送信後に電話で連絡する」といったコメント）が入力され、そのユーザのコメント情報が出力される。こうすることで、表示部１０８の操作画面上に表示される表示情報を基にユーザが操作を行うにあたって、かかる操作に対して有用な情報をそのユーザだけが容易に取得することが可能となり、入力誤りの低減や操作性の向上を図ることができる。さらに、認証されたユーザのコメント情報を出力するので、他のユーザにとって不要な情報や他のユーザに知らせるべきでない情報（特に秘密にすべき情報）を出力しないようにすることができる。
【００５４】
本実施の形態では、前記コメント情報は、文字情報を含んでいる。そして、入力制御手段は、表示部１０８（後述する図５参照）の操作画面に表示される機能情報に対して文字のコメント情報を入力するようになっている。また、出力制御手段は、読出制御手段によってコメント情報管理テーブル１１２ａから読み出した文字のコメント情報をその機能情報に対応させて表示部１０８に表示する表示制御手段とされている。従って、表示部１０８の操作画面に表示される機能情報に対して複数のユーザがコメント情報を入力したとしても、認証されたユーザのコメント情報を表示部１０８に表示することで、操作画面に表示されるコメント情報を認証されたユーザのものに特定することができ、他のユーザのコメント情報が混ざって表示されるといった表示の煩雑性を回避することが可能となる。
【００５５】
図３は、機能情報管理テーブル１０５ｄのデータ構造を示す模式図であり、図４は、コメント情報管理テーブル１１２ａのデータ構造を示す模式図である。
【００５６】
図３に示すように、機能情報１３０は、機能情報を識別する機能コード１２０に対応して機能情報管理テーブル１０５ｄに記憶されている。また、図４に示すように、コメント情報８２は、ユーザを識別するユーザ識別コード１１５毎に機能コード１２０に対応してコメント情報管理テーブル１１２ａに記憶される。これにより、コメント情報８２をユーザ毎（ユーザ識別コード１１５毎）にその機能情報１３０に対応させることができる。
【００５７】
（システム設定モード）
システム設定モードにおいてユーザ認証を行うか否かを設定することができる。ここでは、ユーザ認証が設定されており、本機を使用するときにログインを行うようになっている。
【００５８】
図２１は、ユーザ認証を行うときに表示部１０８に表示されるログイン画面を示す図である。
【００５９】
制御部１０１は、図２１に示すように、ログイン画面１０’（具体的には入力欄１０４ａ，１０５ｂ）においてユーザ名（ユーザ識別コード１１５）及びパスワードを入力することが可能とされており、該ログイン画面１０’でユーザ名及びパスワードが入力され、それが確定すると（具体的にはＯＫキー１０４ｃが押下操作されると）、予め登録されている（具体的には認証コード管理テーブル１０５ｃに予め記憶している）ユーザ名及びパスワードと照合してユーザの認証を行うことができるようになっている。
【００６０】
本実施の形態においては、制御部１０１にて構成される入力制御手段は、システム設定モードにおいて、認証されたユーザ毎に、操作画面に表示される機能情報に対するコメント情報を入力するようになっている。
【００６１】
これについて、システム設定モードにおいて、ワンタッチキー（短縮キー）の相手先を登録するときにコメント情報を入力する場合を例にとって説明したあと、各種機能（具体的には枠消去機能）に対してコメント情報を入力する場合を例にとって説明する。
【００６２】
先ず、電子メールアドレス及びファクシミリ番号をワンタッチキーとして登録する際の動作を、操作パネル１０６の表示部１０８に表示される画面を用いて説明する。
【００６３】
図５は、操作パネル１０６の一例を示す模式図である。操作パネル１０６は、前述したように、各種ハードウェアキーを備える操作部１０７と、表示装置及びタッチパネル方式の入力装置からなる表示部１０８とにより構成される。操作部１０７が備えるハードウェアキーとしては、数値入力のためのテンキー１０７ａ、入力された設定値をクリアするためのクリアキー１０７ｂ、入力された各種設定を全解除するための全解除キー１０７ｃ、コピー開始、送信開始等の指示を受付けるスタートキー１０７ｄの他、プリント機能、送信機能、及びコピー機能をそれぞれ切替える機能切替キー１０７ｅ，１０７ｆ，１０７ｇ、ユーザによる設定を受付けるシステム設定キー１０７ｈを備えている。なお、図５の下方には、コピー処理を待ち受けるための初期画面１０が表示部１０８に表示されている様子を拡大して示している。そして、初期画面１０にはソフトウェアキーとして構成された各種キー１０８ａ〜１０８ｄが配置されている。制御部１０１は、これらのキー１０８ａ〜１０８ｄが押下操作されることにより、それぞれ、枠消去などの特別機能の設定、両面コピー機能の設定、ステイプル処理等の仕上げ機能の設定、画像データを保存するファイリング機能の設定が行えるようになっている。
【００６４】
図６は、図５に示すシステム設定キー１０７ｈが押下操作されたときに選択的に表示される画面の一例を示す模式図である。
【００６５】
図５に示す操作パネル１０６においてシステム設定キー１０７ｈが押下操作された場合、制御部１０１は、図５の下方に示したような初期画面１０に代えて図６（ａ）に示す設定メニュー画面２０を表示部１０８に表示する。設定メニュー画面２０にはソフトウェアキーとして構成された各種キー２１〜２８が配置されている。
【００６６】
制御部１０１は、これらのキー２１〜２８が押下操作されることにより、それぞれ、プリント出力した総枚数の表示、画面コントラストの設定、各種データリストの出力要求、日付・時刻の設定、給紙トレイの設定、データを送信する際の相手先の登録、コメント情報の入力、装置管理者による各種の設定が行えるようになっている。また、設定メニュー画面２０の上部に配置された終了キー２９が押下操作された場合、この設定メニュー画面２０が閉じられ、表示部１０８には図５の下方に示す初期画面１０が表示される。なお、コメント情報８２は、ここでは各種キー２１〜２７が押下操作されることで入力できるようになっている。このうち、先ず、相手登録キー２６の押下操作によるコメント情報の入力を例にとって以下に説明する。
【００６７】
図６（ａ）に示す設定メニュー画面２０において相手先登録キー２６が押下操作された場合、設定メニュー画面２０に代わって図６（ｂ）に示す相手先登録画面３０が表示部１０８に表示される。相手先登録画面３０には、相手先の通信アドレス（ファクシミリ番号、電子メールアドレス）を設定するためのアドレス設定キー３１、アドレスのインデックスを作成又は修正するためのユーザインデックス設定キー３２、電子メールの発信元に係る情報を設定する発信元設定キー３３が配置されている。各キー３１〜３３が押下操作された場合、相手先登録画面３０での操作内容が確定し、画面上部に配置された終了キー３４が押下操作された場合、前述した設定メニュー画面２０に戻す処理が行われる。
【００６８】
図６（ｂ）に示す相手先登録画面３０においてアドレス設定キー３１が押下操作された場合、相手先登録画面３０に代わって図６（ｃ）に示す登録内容設定画面４０が表示部１０８に表示される。この登録内容設定画面４０には、相手先の通信アドレスにワンタッチキーの割り当てを設定するためのワンタッチ登録用キー（キー割当てキー）４１、通信アドレスのグループ化を行うためのグループ登録用キー４２、登録内容の修正又は解除を行うための修正／解除用キー４３が配置されている。各キー４１〜４３が押下操作された場合、登録内容設定画面４０での操作内容が確定し、画面上部に配置された終了キー４４が押下操作された場合、図６（ｂ）に示す相手先登録画面３０に戻す処理が行われる。
【００６９】
図７Ａは、ワンタッチキーの割り当て設定を行うときに表示部１０８に表示される画面の一例を示す模式図である。
【００７０】
図６（ｃ）に示す登録内容設定画面４０においてワンタッチ登録用キー４１が押下操作された場合、登録内容設定画面４０に代わって図７Ａに示すアドレス設定画面５０が表示部１０８に表示される。
【００７１】
図７Ａは、電子メールアドレスに対してワンタッチキーを割り当てるためのアドレス設定画面の一例を示している。
【００７２】
図７Ａに示すアドレス設定画面５０には、「Ｅ−ｍａｉｌ」又は「ファックス」の宛先のタイプを選択するための選択キー（ここではプルダウンメニューキー）５１、相手先の登録内容を入力するための相手先登録欄５２ａ〜５２ｈ、得意先インデックスに設定する選択キー（ここではチェックボックス）５３が配置されている。
【００７３】
選択キー５１において「ファックス」が選択操作された場合にはファクシミリ番号、「Ｅ−ｍａｉｌ」が選択操作された場合には電子メールアドレスを設定できるようにしている。
【００７４】
相手先登録欄５２ａ〜５２ｈは、それぞれ、相手先を検索するための検索番号、相手先の名前、相手先を検索するための検索文字、宛先名とは別にアドレス帳に表示させるためのキー名称、アドレス帳画面で利用するためのユーザインデックスの種類、相手先の電子メールアドレス又はファクシミリ番号、画像データのファイル形式、画像データの圧縮形式を入力できるようになっている。また、チェックボックス５３にチェックが入力された場合には得意先タブに表示する設定を行い、チェックボックス５３のチェックが外された場合には得意先タブに表示しない設定を行う。
【００７５】
また、画面上部にある削除キー５７が押下操作された場合、登録内容を削除し、キャンセルキー５８が押下操作された場合、図６（ａ）に示す設定メニュー画面２０に戻す処理が行われ、ＯＫキー５９が押下操作された場合、アドレス設定画面５０での入力内容が確定し、図６（ａ）に示す設定メニュー画面２０に戻す処理が行われる。
【００７６】
そして、コメント入力欄５４には、コメント情報８２が入力される。本実施の形態では、コメント情報８２は、ユーザが任意に書き込むことができるフリーコメントを含んでいる。制御部１０１にて構成される入力制御手段は、表示部１０８の操作画面５０に表示される機能情報に対してフリーコメントを入力することが可能とされている。また、制御部１０１にて構成される表示制御手段は、入力制御手段にて入力されたフリーコメントをその機能に対応させて表示部１０８に表示することが可能とされている。
【００７７】
この例では、コメント入力欄５４に、相手先３４５に対して「送信後に電話で連絡を入れる」という注意事項等のユーザの個別的なコメント情報８２が入力される。
【００７８】
本実施の形態においては、コメント情報８２は、該コメント情報８２を該コメント情報８２に対するユーザの認証時にのみ出力するか、或いは全ユーザに対して出力するかを識別する出力切替用識別情報８２ａを含んでいる。また、制御部１０１にて構成される入力制御手段は、コメント情報８２に対して出力切替用識別情報８２ａを入力することができるようになっている。
【００７９】
図２２は、図４に示すコメント情報管理テーブル１１２ａの一部を詳細に示す模式図である。
【００８０】
詳しくは、入力制御手段は、図２２に示すように、コメント情報８２を該コメント情報８２に対するユーザの認証時にのみ出力する場合には、出力切替用識別情報８２ａに認証時出力用符号（ここでは「１」）を選択入力し、コメント情報８２を全ユーザに対して出力する場合には、出力切替用識別情報８２ａに全ユーザ出力用符号（ここでは「０」）を選択入力することが可能とされている。
【００８１】
そして、制御部１０１にて構成される出力制御手段は、入力制御手段にて入力された出力切替用識別情報８２ａに基づきコメント情報８２を該コメント情報８２に対するユーザの認証時にのみ出力するか、或いは全ユーザに対して出力するかを切り替えることができるようになっている。
【００８２】
詳しくは、出力制御手段は、コメント情報８２の出力切替用識別情報８２ａに対して認証時出力用符号（ここでは「１」）が選択入力されている場合には該コメント情報８２を該コメント情報８２に対するユーザの認証時にのみ出力する一方、コメント情報８２の出力切替用識別情報８２ａに対して全ユーザ出力用符号（ここでは「０」）が選択入力されている場合には該コメント情報８２を全ユーザに対して出力することが可能とされている。
【００８３】
かかる構成では、コメント情報８２の出力切替用識別情報８２ａに対して全ユーザ出力用符号（ここでは「０」）が選択されることにより、全ユーザに該コメント情報８２を知らせることが可能となる。これにより、認証されたユーザとは別のユーザに対しても該コメント情報８２を提供することができる。
【００８４】
この例では、認証時出力とするか、或いは全ユーザ出力とするかを設定する選択キー（ここではチェックボックス）８２’が図７Ａに示すアドレス設定画面５０に配置されている。そして、選択キー８２’が選択（ここではチェック）されると、出力切替用識別情報８２ａに認証時出力用符号（ここでは「１」）が入力される一方、選択キー８２’が選択（ここではチェック）されないと、出力切替用識別情報８２ａに全ユーザ出力用符号（ここでは「０」）が入力される。この動作は、後述する図７Ｂ、図７Ｃ、図８、図１３、図１４、図１７及び図１８についても同様であり、以下の説明は省略する。
【００８５】
図７Ｂは、ワンタッチキーの割り当て設定を行うときに表示部１０８に表示される画面の他の例を示す模式図である。図７Ｂにおいて、図７Ａに示す要素と同じ要素には同一符号を付し、その説明を省略する。
【００８６】
図７Ｂに示すアドレス設定画面５０では、コメント情報８２は、所定の語句を予め設定した定型コメントを含んでいる。制御部１０１にて構成される入力制御手段は、表示部１０８の操作画面５０に表示される機能情報に対して定型コメントを入力することが可能とされている。また、制御部１０１にて構成される表示制御手段は、入力制御手段にて入力された定型コメントをその機能に対応させて表示部１０８に表示することが可能とされている。
【００８７】
この例では、定型コメントは、相手先の営業時刻（開始時刻及び終了時刻）、添付する画像データのファイル形式、添付する画像データの圧縮形式とされている。そして、コメント入力欄５５ａ〜５５ｄに、それぞれ、営業開始時刻、営業終了時刻、ファイル形式、圧縮形式という注意事項等のユーザの個別的な情報が入力される。
【００８８】
図７Ｃは、図７Ｂに示す画面の変形例を示す模式図である。図７Ｃにおいて、図７Ｂに示す要素と同じ要素には同一符号を付し、その説明を省略する。なお、図７Ｃでは、上側にアドレス設定画面５０のコメント入力欄部分を示すと共に、下側に詳細設定画面５０ａも示している。
【００８９】
図７Ｃに示すコメント入力欄では、詳細設定キー５６が押下操作されることにより、コメント情報８２の詳細設定を行えるようになっている。
【００９０】
ここでは、制御部１０１にて構成される入力制御手段は、コメント情報８２に対して視覚的な修飾処理を施すようになっており、制御部１０１にて構成される表示制御手段は、入力制御手段にて視覚的な修飾処理が施されたコメント情報８２を表示するようになっている。また、入力制御手段は、表示制御手段にてコメント情報８２を表示部１０８に表示するときの表示条件を入力するようになっており、表示制御手段は、入力制御手段にて入力された表示条件に基づきコメント情報８２を表示するようになっている。
【００９１】
この例では、コメント情報８２は、コメント文字の色指定、コメント枠の色指定、コメント文字のフォントの種類、コメント文字の大きさ、コメント枠の有無情報を含むコメント枠の線種の指定といった視覚的な修飾処理の情報を含んでいる。そして、コメント入力欄５６ａ〜５６ｅに、それぞれ、コメント文字の色、コメント枠の色、コメント文字のフォントの種類、コメント文字の大きさ、コメント枠の線種（線種なしの場合はコメント枠なし）が入力される。
【００９２】
また、コメント情報８２を表示部１０８に表示するときの表示条件の設定は、後述するようにコメント情報８２を表示開始から所定の一定時間だけ表示する場合でのコメント表示時間の設定（例えば、１秒〜３０秒のうちの何れかの時間の設定）、後述するようにコメント情報の表示部１０８への表示の仕方に関する表示条件の設定（例えば、機能実行キー選択時又はコメント表示キー選択時の何れかの設定、或いは出力切替用識別情報８２ａを利用するか否かの設定）とされている。そして、コメント入力欄５６ｆ，５６ｇに、それぞれ、コメント表示時間、コメント表示条件が入力される。
【００９３】
次に、各種機能（例えば、コピー特別機能注釈設定や１セット２コピー等の機能）に対してコメント情報を入力する場合について説明する。図６（ａ）に示す設定メニュー画面２０においてコメント情報キー２７が押下操作された場合、設定メニュー画面２０に代わって図８に示すコメント情報入力画面６０が表示部１０８に表示される。
【００９４】
図８は、図６（ａ）に示すコメント情報キー２７が押下操作されたときに表示されるコメント情報入力画面の一例を示す模式図である。
【００９５】
図８に示すコメント情報入力画面６０には、それぞれの機能情報に対して、定型項目（例えば、当該機能で印刷を行うことを禁止する適用禁止原稿の種類）を入力するための定型コメント入力欄６１ａ及びフリーコメントを入力するためのフリーコメント入力欄６１ｂが配置されている。各機能情報は、ここでは、一覧的に下方に表示されるようになっており、表示画面から外れた機能情報はスクロール表示できるようになっている。
【００９６】
画面上部のキャンセルキー６２が押下操作された場合、図６（ａ）に示す設定メニュー画面２０に戻す処理が行われ、ＯＫキー６３が押下操作された場合、コメント情報入力画面６０での入力内容が確定し、図６（ａ）に示す設定メニュー画面２０に戻す処理が行われる。
【００９７】
この例では、コメント入力欄６１ａに、コピー特別機能の適用禁止原稿という定型項目のコメントに対して「ＯＫ注文書」という文書の種類が入力され、コメント入力欄６１ｂに、コピー特別機能の「〜〜資料は１ｃｍ分枠を消す」という文章が入力される。
【００９８】
次に、システム設定モードにおいて操作画面に表示される機能情報に対するコメント情報８２の入力を行う動作フローについて図９を参照しながら説明する。
【００９９】
図９は、システム設定モードにおいて操作画面に表示される機能情報に対するコメント情報８２の入力処理の流れを示すフローチャートである。
【０１００】
図９に示す処理では、先ず、ログイン画面においてユーザ認証を行う（ステップＳ０）。詳しくは、ログイン画面においてユーザ名（ユーザ識別コード１１５）及びパスワードが入力されるまで待機し（ステップＳ０：Ｎ）、ユーザ名及びパスワードが入力されることでユーザ認証されて（ステップＳ０：Ｙ）、ステップＳ１に移行する。次に、システム設定モードにおける操作画面の設定要求（例えばアドレス帳の登録要求や各種機能の設定要求）が有るまで待機し（ステップＳ１：Ｎ）、この設定要求が有ると（ステップＳ１：Ｙ）、コメント情報８２の入力（例えば図７Ａから図７Ｃ及び図８参照）の受付を行う（ステップＳ２）。
【０１０１】
次に、コメント情報８２が入力されているか否かを判断し（ステップＳ３）、コメント情報８２が入力されていない場合には（ステップＳ３：Ｎ）、ステップＳ５に移行する一方、コメント情報８２が入力されている場合には（ステップＳ３：Ｙ）、コメント情報８２をユーザ識別コード１１５毎にその機能情報１３０に対応させてコメント情報管理テーブル１１２ａに登録し（ステップＳ４）、ステップＳ５に移行する。
【０１０２】
そして、システム設定モードにおける操作画面に対する設定が完了した否かを判断し（ステップＳ５）、操作画面に対する設定が完了していない場合には（ステップＳ５：Ｎ）、ステップＳ２へ移行する一方、操作画面に対する設定が完了した場合（ステップＳ５：Ｙ）には、ステップＳ６へ移行する。ステップＳ６では、操作画面に対して設定登録（ここでは管理部１０５の相手先管理テーブル１０５ａのアドレス帳に登録又は枠消去の消去サイズを設定）し、処理を終了する。
【０１０３】
（機能実行モード）
本実施の形態においては、制御部１０１にて構成される表示制御手段は、機能実行モードにおいて、入力制御手段にて入力されたコメント情報８２のうち認証されたユーザのコメント情報８２をその機能情報に対応させて表示するようになっている。
【０１０４】
これについて、機能実行モードで画像データを電子メール送信するときにコメント情報８２を表示する場合、及び各種機能を実行するときにコメント情報８２を表示する場合を例にとってこれらを併せて説明する。
【０１０５】
図１０は、図５に示す初期画面においてイメージ送信キー１０７ｆが押下操作されたときに表示される機能操作画面の一例を示す模式図である。また、図１１は、図１０に示す機能操作画面において機能選択キー（ここではアドレス帳キー）７１ａが押下操作されたときに表示される操作画面の一例を示す模式図であって、画像データを電子メール送信するときにコメント情報８２が表示されている状態を示す図である。また、図１２は、図５に示す初期画面において特別機能キー１０８ａが押下操作されたときに表示される操作画面の一例を示す模式図であって、枠消去機能を実行するときにコメント情報８２が表示されている状態を示す図である。
【０１０６】
図５に示す操作パネル１０６においてイメージ送信キー１０７ｆが押下操作された場合、制御部１０１は、図５の下方に示したような初期画面１０に代えて図１０に示す機能操作画面７０を表示部１０８に表示する。機能操作画面（ここではイメージ送信画面）７０にはソフトウェアキーとして構成された各種送信機能キー７１〜７５が配置されている。
【０１０７】
制御部１０１は、これらの送信機能キー７１〜７５が押下操作されることにより、それぞれ、スキャンして読み取った画像ファイルの電子メールによる送信、スキャンして読み取った画像ファイルのインターネットを経由したファクシミリ送信、スキャンして読み取った画像ファイルの公衆回線を経由したファクシミリ送信、スキャンして読み取った画像ファイルの指定したＦＴＰ（File Transfer Protocol）サーバの記憶部への送信、スキャンして読み取った画像ファイルの本機に接続したＵＳＢ（Universal Serial Bus）メモリへの送信が行えるようになっている。
【０１０８】
図１０に示す機能操作画面７０において機能選択キー７１ａが押下操作された場合、制御部１０１は、機能操作画面７０に代えて図１１に示す操作画面（ここではアドレス帳画面）８０ａを表示部１０８に表示する。
【０１０９】
一方、図５に示す操作パネル１０６において特別機能キー１０８ａが押下操作された場合、制御部１０１は、初期画面１０に代えて図１２に示す操作画面（ここでは特別機能設定画面）８０ａ’を表示部１０８に表示する。
【０１１０】
ここで、制御部１０１にて構成される表示制御手段は、図１１及び図１２に示すように、表示部１０８の操作画面（ここではアドレス帳画面８０ａ及び特別機能設定画面８０ａ’）に表示される機能情報（ここではイメージ送信機能及び特別機能の情報）に対して選択操作されたときに該機能情報に対するコメント情報８２を表示部１０８に表示するようになっている。
【０１１１】
詳しくは、表示制御手段は、機能実行モードにおいて、各種機能を実行するための機能実行キー８１（ここでは相手先を指定するソフトウェアキー及び枠消去を設定するソフトウェアキー）を表示部１０８の操作画面８０ａ，８０ａ’に選択入力可能に表示し、該操作画面８０ａ，８０ａ’に表示された機能実行キー８１が選択操作されたときに実行保留状態（例えば、機能実行キー８１に対して色変更や反転表示等の表示状態を変更して実行を保留した選択表示状態）とすると共に、該機能実行キー８１に対してそれに対応する機能（ここでは相手先「３４５」への送信機能及び枠消去機能）のコメント情報８２を表示（ここでは吹き出し形式で他の機能実行キー８１の一部を隠蔽するように表示）することが可能とされている。
【０１１２】
この構成では、表示部１０８の操作画面８０ａ，８０ａ’に表示される機能に対するコメント情報８２をユーザが該機能に対して選択操作したときにのみ表示することできる。さらに、操作画面８０ａ，８０ａ’に表示された機能実行キー８１が選択操作されたときにコメント情報８２を表示することができ、これにより、コメント情報８２の表示スペースが、選択操作されたコメント情報８２のみの表示スペースだけで済み、それだけ操作画面８０a，８０ａ’の表示スペースを確保できると共に、実行すべき機能（ここではイメージ送信機能及び枠消去機能）に対するコメント情報８２を一義的に特定でき、これにより、該実行すべき機能に対するコメント情報８２をユーザに確実に知らせることができる。
【０１１３】
なお、イメージ送信機能の操作画面８０ａでは図５に示す操作パネル１０６のスタートキー１０７ｄが押下操作されることで送信機能が実行され、特別機能の操作画面８０ａ’では操作画面８０ａ’のＯＫキー８９を押下操作することで枠消去機能の設定画面へ移行する。この動作は、後述する図１３から図１８についても同様であり、以下の説明は省略する。
【０１１４】
制御部１０１にて構成される入力制御手段は、機能実行モードにおける操作画面８０ａ，８０ａ’に対してコメント情報８２を入力することが可能とされていてもよい。
【０１１５】
詳しくは、表示制御手段は、表示部１０８の操作画面８０ａ，８０ａ’に表示される機能に対して選択操作されたときに該機能に対するコメント情報８２を表示部１０８に表示し、その後、引き続き該コメント情報８２を入力するための操作がなされたときに入力制御手段が該コメント情報８２の入力動作を実行するようになっている。
【０１１６】
図１３及び図１４は、機能実行モードにおけるコメント情報８２の入力動作例を説明するための図である。
【０１１７】
図１３（ａ）は、図１０に示す機能操作画面において機能選択キー７１ａが押下操作されたときに表示される操作画面の他の例を示す模式図であり、図１３（ｂ）は、図１３（ａ）に示す操作画面においてコメント情報入力キー（ここではソフトウェアキーである注釈入力キー）８３が押下操作されたときに表示されるコメント入力画面８２ｂの一例を示す模式図である。
【０１１８】
また、図１４（ａ）は、図５に示す初期画面において特別機能キー１０８ａが押下操作されたときに表示される操作画面の他の例を示す模式図であり、図１４（ｂ）は、図１４（ａ）に示す操作画面においてコメント情報入力キー（ここではソフトウェアキーである注釈入力キー）８３が押下操作されたときに表示されるコメント入力画面の一例を示す模式図である。
【０１１９】
図１３（ａ）及び図１４（ａ）に示すように、表示制御手段は、機能実行モードにおいて、各種機能を実行するための機能実行キー８１を表示部１０８の操作画面８０ｂ，８０ｂ’に選択入力可能に表示すると共に、入力制御手段を実行するための注釈入力キー８３を操作画面８０ｂ，８０ｂ’に選択入力可能に表示することが可能とされている。そして、表示制御手段は、操作画面８０ｂ，８０ｂ’に表示された機能実行キー８１が選択操作されたときに実行保留状態（実行を保留した選択表示状態）とすると共に、該機能実行キー８１に対してそれに対応する機能（ここでは相手先「３４５」への送信機能及び枠消去機能）のコメント情報８２を表示することが可能とされている。また、表示制御手段は、操作画面８０ｂ、８０ｂ’に表示された機能実行キー８１が選択操作されたときに実行保留状態とすると共に、該機能実行キー８１に対してそれに対応する機能のコメント情報８２を表示し、続いて注釈入力キー８３が選択操作されたときに、図１３（ｂ）及び図１４（ｂ）のコメント入力画面８２ｂ，８２ｂ’に示すように、入力制御手段が該機能実行キー８１に対応する機能に対するコメント情報８２の入力動作を実行することが可能とされている。
【０１２０】
この構成では、表示部１０８の操作画面８０ｂ，８０ｂ’に表示される機能に対するコメント情報８２をユーザが該機能に対して選択操作したときにのみ表示することできる。さらに、ユーザは、機能実行モードにおいて、操作画面８０ｂ，８０ｂ’に表示された機能実行キー８１を選択操作したときに表示されるコメント情報８２を確認した上でコメント入力画面８２ｂ，８２ｂ’にて該コメント情報８２の追加更新を行うことができる。
【０１２１】
なお、コメント入力画面８２ｂ，８２ｂ’においてそれぞれ上部のキャンセルキー５８，６２が押下操作された場合、図１３（ａ）及び図１４（ａ）に示す操作画面８０ｂ，８０ｂ’に戻す処理が行われ、ＯＫキー５９，６３が押下操作された場合、コメント入力画面８２ｂ，８２ｂ’での入力内容が確定し、図１３（ａ）及び図１４（ａ）に示す操作画面８０ｂ，８０ｂ’に戻す処理が行われる。この動作は後述する図１７及び図１８についても同様であり、以下の説明は省略する。
【０１２２】
図１５は、図１０に示す機能操作画面において機能選択キー７１ａが押下操作されたときに表示される操作画面の他の例を示す模式図である。また、図１６は、図５に示す初期画面において特別機能キー１０８ａが押下操作されたときに表示される操作画面の他の例を示す模式図である。
【０１２３】
制御部１０１にて構成される表示制御手段は、図１５及び図１６に示すように、表示部１０８の操作画面（ここではアドレス帳画面８０ｃ及び特別機能設定画面８０ｃ’）に表示される機能情報（ここではイメージ送信機能及び特別機能の情報）に対するコメント情報８２を出力するための操作がなされたときに該コメント情報８２を表示部１０８に表示するようになっていてもよい。
【０１２４】
詳しくは、表示制御手段は、機能実行モードにおいて、各種機能を実行するための機能実行キー８１（ここでは相手先を指定するソフトウェアキー及び枠消去を設定するソフトウェアキー）を表示部１０８の操作画面８０ｃ，８０ｃ’に選択入力可能に表示すると共に、そのコメント情報８２を表示させるためのコメント情報表示用アイコン８４をその機能実行キー８１に対応して操作画面８０ｃ，８０ｃ’に選択入力可能に表示することが可能とされている。なお、このコメント情報表示用アイコン８４は、コメント情報８２が入力されている場合（コメント情報８２が存在している場合）にのみ表示することができる。そして、表示制御手段は、操作画面８０ｃ，８０ｃ’に表示されたコメント情報表示用アイコン８４が選択操作されたときに該コメント情報表示用アイコン８４に対応する機能実行キー８１に対してそれ対応する機能（ここでは相手先「３４５」への送信機能及び枠消去機能）のコメント情報８２を表示することが可能とされている。
【０１２５】
この構成では、コメント情報８２が入力されている場合にのみコメント情報表示用アイコン８４が表示されることで、コメント情報８２の有無をユーザが容易に認識することが可能となる。そして、表示部１０８の操作画面８０ｃ，８０ｃ’に表示される機能情報に対するコメント情報８２をユーザが確認したいときにのみ表示することできる。さらに、操作画面８０ｃ，８０ｃ’に表示されたコメント情報表示用アイコン８４が選択操作されたときにコメント情報８２を表示することができ、これにより、コメント情報８２の表示スペースが、選択操作されたコメント情報８２のみの表示スペースだけで済み、それだけ操作画面８０ｃ，８０ｃ’の表示スペースを確保できると共に、実行すべき機能（ここではイメージ送信機能及び枠消去機能）に対するコメント情報８２を一義的に特定でき、これにより、該実行すべき機能に対するコメント情報８２をユーザに確実に知らせることができる。
【０１２６】
制御部１０１にて構成される入力制御手段は、この機能実行モードにおける操作画面８０ｃ，８０ｃ’に対してコメント情報８２を入力することが可能とされていてもよい。
【０１２７】
詳しくは、表示制御手段は、表示部１０８の操作画面８０ｃ，８０ｃ’に表示される機能情報に対するコメント情報８２を出力するための操作がなされたときに該コメント情報８２を表示部１０８に表示し、その後、引き続き該コメント情報８２を入力するための操作がなされたときに入力制御手段が該コメント情報８２の入力動作を実行するようになっている。
【０１２８】
図１７及び図１８は、機能実行モードにおけるコメント情報８２の入力動作例を説明するための図である。
【０１２９】
図１７（ａ）は、図１０に示す機能操作画面において機能選択キー７１ａが押下操作されたときに表示される操作画面のさらに他の例を示す模式図であり、図１７（ｂ）は、図１７（ａ）に示す操作画面においてコメント情報入力キー（ここでは注釈入力キー）８３が押下操作されたときに表示されるコメント入力画面の一例を示す模式図である。
【０１３０】
また、図１８（ａ）は、図５に示す初期画面において特別機能キー１０８ａが押下操作されたときに表示される操作画面のさらに他の例を示す模式図であり、図１８（ｂ）は、図１８（ａ）に示す操作画面においてコメント情報入力キー（ここでは注釈入力キー）８３が押下操作されたときに表示されるコメント入力画面の一例を示す模式図である。
【０１３１】
図１７（ａ）及び図１８（ａ）に示すように、表示制御手段は、機能実行モードにおいて、各種機能を実行するための機能実行キー８１を表示部１０８の操作画面８０ｄ，８０ｄ’に選択入力可能に表示すると共に、そのコメント情報８２を表示させるためのコメント情報表示用アイコン８４をその機能実行キー８１に対応して操作画面８０ｄ，８０ｄ’に選択入力可能に表示し、さらに、入力制御手段を実行するための注釈入力キー８３を操作画面８０ｄ，８０ｄ’に選択入力可能に表示することが可能とされている。ここで、コメント情報表示用アイコン８４は、コメント情報８２が入力されている場合（コメント情報８２が存在している場合）にのみ表示することができる。
【０１３２】
そして、表示制御手段は、操作画面８０ｄ，８０ｄ’に表示されたコメント情報表示用アイコン８４が選択操作されたときに該コメント情報表示用アイコン８４に対応する機能実行キー８１に対してそれに対応する機能（ここでは相手先「３４５」への送信機能及び枠消去機能）のコメント情報８２を表示することが可能とされている。また、表示制御手段は、操作画面８０ｄ，８０ｄ’に表示されたコメント情報表示用アイコン８４が選択操作されたときに該コメント情報表示用アイコン８４に対応する機能実行キー８１に対してそれに対応する機能のコメント情報８２を表示し、続いて注釈入力キー８３が選択操作されたときに、図１７（ｂ）及び図１８（ｂ）のコメント入力画面８２ｄ，８２ｄ’に示すように、入力制御手段が該機能実行キー８１に対応する機能に対するコメント情報８２の入力動作を実行することが可能とされている。
【０１３３】
この構成では、コメント情報８２が入力されている場合にのみコメント情報表示用アイコン８４が表示されることで、コメント情報８２の有無をユーザが容易に認識することが可能となる。そして、表示部１０８の操作画面８０ｄ，８０ｄ’に表示される機能情報に対するコメント情報をユーザが確認したいときにのみ表示することできる。さらに、ユーザは、機能実行モードにおいて、操作画面８０ｄ，８０ｄ’に表示されたコメント情報表示用アイコン８４を選択操作したときに表示されるコメント情報８２を確認した上でコメント入力画面８２ｄ，８２ｄ’にて該コメント情報８２の追加更新を行うことができる。
【０１３４】
なお、表示制御手段は、機能実行モードにおいて、各種機能を実行するための機能実行キー８１を表示部１０８の操作画面に選択入力可能に表示すると共に、該機能実行キー８１に対応してコメント情報８２を一律に表示（例えば一覧形式で表示）してもよい。
【０１３５】
この場合、ユーザは、表示部１０８の操作画面に表示された各機能実行キーに対し全てのコメント情報を一度に視認することができる。
【０１３６】
次に、機能実行モードにおいて操作画面に表示される機能情報に対するコメント情報８２の表示及び入力を行う動作フローについて図１９を参照しながら説明する。
【０１３７】
図１９は、機能実行モードにおいて操作画面に表示される機能情報に対するコメント情報８２の表示及び入力処理の流れを示すフローチャートである。
【０１３８】
図１９に示す処理では、先ず、ログイン画面においてユーザ認証を行う（ステップＳ１０）。詳しくは、ログイン画面においてユーザ名（ユーザ識別コード１１５）及びパスワードが入力されるまで待機し（ステップＳ１０：Ｎ）、ユーザ名及びパスワードが入力されることでユーザ認証されて（ステップＳ１０：Ｙ）、ステップＳ１１に移行し、機能実行モードにおける機能（例えばアドレス帳による送信機能又は各種印刷機能）の選択の受け付を行う（ステップＳ１１）。
【０１３９】
次に、コメント情報８２の表示の選択がされていない場合には（ステップＳ１２：Ｎ）、ステップＳ２３へ移行する一方、コメント情報８２の表示の選択がされている場合には（ステップＳ１２：Ｙ）、コメント情報８２が登録されているか否かを判断する（ステップＳ１３）。コメント情報８２が登録されていない場合には（ステップＳ１３：Ｎ）、ステップＳ２３へ移行する一方、コメント情報８２が登録されている場合には（ステップＳ１３：Ｙ）、コメント情報８２をコメント情報管理テーブル１１２ａから読み出す（ステップＳ１４）。
【０１４０】
コメント情報管理テーブル１１２ａから読み出したコメント情報８２が認証されたユーザ（ユーザ識別コード１１５）のコメント情報か否かを判断し（ステップＳ１５）、認証されたユーザ（ユーザ識別コード１１５）のコメント情報である場合には、ステップＳ１７に移行する一方、認証されたユーザ（ユーザ識別コード１１５）のコメント情報でない場合には、出力切替用識別情報８２ａがユーザの認証時にのみ表示するように設定されているか（認証時出力用符号か）否かを判断する（ステップＳ１６）。出力切替用識別情報８２ａが認証時出力用符号（ここでは「１」）である場合には、ステップＳ１８に移行する一方、認証時出力用符号（ここでは「１」）でない場合、すなわち全ユーザ出力用符号（ここでは「０」）である場合、ステップＳ１７へ移行する。
【０１４１】
次に、ステップＳ１７では、コメント情報８２を表示し、ステップＳ１８ではコメント情報管理テーブル１１２ａにてコメント情報８２の読み出しが終了か否かを判断する。コメント情報８２の読み出しが終了していない場合には（ステップＳ１８：Ｎ）、ステップＳ１４へ移行する一方、コメント情報８２の読み出しが終了した場合には、ステップＳ１９へ移行する。
【０１４２】
そして、注釈入力キー８３が操作されたか否かを判断し（ステップＳ１９）、注釈入力キー８３が操作されていない場合には（ステップＳ１９：Ｎ）、ステップＳ２３へ移行する一方、注釈入力キー８３が操作された場合には（ステップＳ１９：Ｙ）、コメント情報８２の入力を受付ける（ステップＳ２０）。
【０１４３】
次に、コメント情報８２が入力されているか否かを判断し（ステップＳ２１）、コメント情報８２が入力されていない場合には（ステップＳ２１：Ｎ）、ステップＳ２３に移行する一方、コメント情報８２が入力された場合には（ステップＳ２１：Ｙ）、コメント情報８２をユーザ識別コード１１５毎にその機能情報１３０に対応させてコメント情報管理テーブル１１２ａに登録し（ステップＳ２２）、ステップＳ２３に移行する。
【０１４４】
そして、機能実行モードにおける機能の選択が完了した否かを判断し（ステップＳ２３）、機能の選択が完了していない場合には（ステップＳ２３：Ｎ）、ステップＳ１１へ移行する一方、機能の選択が完了した場合（ステップＳ２３：Ｙ）には、ステップＳ２４へ移行する。ステップＳ２４では、選択された機能を実行（ここではアドレス帳による相手先「３４５」への送信又は枠消去を設定）し、処理を終了する。
【０１４５】
ところで、ここでは、コメント情報８２は、他の機能実行キー８１の一部を隠蔽するように表示するが、この場合には、コメント情報８２が邪魔になり他の機能実行キー８１を操作できないという不都合がある。そこで、表示制御手段は、前述のシステム設定モードでも説明したように、コメント情報８２を表示開始から所定の一定時間だけ表示するようになっている。こうすることで、他の機能実行キー８１の一部がコメント情報８２に隠蔽されていても所定時間経過後は該他の機能実行キー８１を選択できるようになる。なお、コメント情報８２は、機能実行キーの表示箇所とは別の空いたスペースに表示してもよい。
【０１４６】
そして、入力制御手段は、出力制御手段にてコメント情報８２を出力するときの出力条件を入力することが可能とされている。この出力条件は、ここでは、図７Ｃに示すように、コメント表示時間やコメント表示条件、すなわち、図１１から図１４に示すようにコメント情報８２を機能実行キー８１で表示させるか（機能実行キー選択時）又は図１５から図１８に示すようにコメント情報８２をコメント情報表示用アイコン８４で表示させるか（コメント表示キー選択時）、或いは出力切替用識別情報８２ａを利用するか否かの選択とされている。なお、出力切替用識別情報８２ａを利用しない場合には、前述した図１９のフローチャートにおいてステップＳ１６を省略することができる。
【０１４７】
以上の説明では、イメージ送信機能の操作画面、枠消去機能の操作画面を例にとって説明したが、他の操作画面でも同様して行えることは言うまでもない。図２０は、各種機能の操作画面において入力されるコメント情報（各機能の設定項目に対するコメント例）を一覧にして示している。
【図面の簡単な説明】
【０１４８】
【図１】本実施の形態に係るデジタル複合機を用いて構築される画像処理システムの全体構成を示す模式図である。
【図２】デジタル複合機の内部構成を示すブロック図である。
【図３】機能情報管理テーブルのデータ構造を示す模式図である。
【図４】コメント情報管理テーブルのデータ構造を示す模式図である。
【図５】操作パネルの一例を示す模式図である。
【図６】図５に示すシステム設定キーが押下操作されたときに選択的に表示される画面の一例を示す模式図である。
【図７Ａ】ワンタッチキーの割り当て設定を行うときに表示部に表示される画面の一例を示す模式図である。
【図７Ｂ】ワンタッチキーの割り当て設定を行うときに表示部に表示される画面の他の例を示す模式図である。
【図７Ｃ】図７Ｂに示す画面の変形例を示す模式図である。
【図８】図６（ａ）に示すコメント情報キーが押下操作されたときに表示されるコメント情報入力画面の一例を示す模式図である。
【図９】システム設定モードにおいて操作画面に表示される機能情報に対するコメント情報の入力処理の流れを示すフローチャートである。
【図１０】図５に示す初期画面においてイメージ送信キーが押下操作されたときに表示される機能操作画面の一例を示す模式図である。
【図１１】図１０に示す機能操作画面において機能選択キーが押下操作されたときに表示される操作画面の一例を示す模式図である。
【図１２】図５に示す初期画面において特別機能キーが押下操作されたときに表示される操作画面の一例を示す模式図である。
【図１３】機能実行モードにおけるコメント情報の入力動作例を説明するための図であって、図（ａ）は、図１０に示す機能操作画面において機能選択キーが押下操作されたときに表示される操作画面の他の例を示す模式図であり、図（ｂ）は、図（ａ）に示す操作画面においてコメント情報入力キーが押下操作されたときに表示されるコメント入力画面の一例を示す模式図である。
【図１４】機能実行モードにおけるコメント情報の入力動作例を説明するための図であって、図（ａ）は、図５に示す初期画面において特別機能キーが押下操作されたときに表示される操作画面の他の例を示す模式図であり、図（ｂ）は、図（ａ）に示す操作画面においてコメント情報入力キーが押下操作されたときに表示されるコメント入力画面の一例を示す模式図である。
【図１５】図１０に示す機能操作画面において機能選択キーが押下操作されたときに表示される操作画面の他の例を示す模式図である。
【図１６】図５に示す初期画面において特別機能キーが押下操作されたときに表示される操作画面の他の例を示す模式図である。
【図１７】機能実行モードにおけるコメント情報の入力動作例を説明するための図であって、図（ａ）は、図１０に示す機能操作画面において機能選択キーが押下操作されたときに表示される操作画面のさらに他の例を示す模式図であり、図（ｂ）は、図（ａ）に示す操作画面においてコメント情報入力キーが押下操作されたときに表示されるコメント入力画面の一例を示す模式図である。
【図１８】機能実行モードにおけるコメント情報の入力動作例を説明するための図であって、図（ａ）は、図５に示す初期画面において特別機能キーが押下操作されたときに表示される操作画面のさらに他の例を示す模式図であり、図（ｂ）は、図（ａ）に示す操作画面においてコメント情報入力キーが押下操作されたときに表示されるコメント入力画面の一例を示す模式図である。
【図１９】機能実行モードにおいて操作画面に表示される機能情報に対するコメント情報の表示及び入力処理の流れを示すフローチャートである。
【図２０】各種機能の操作画面において入力されるコメント例を示す図である。
【図２１】ユーザ認証を行うときに表示部に表示されるログイン画面を示す図である。
【図２２】図４に示すコメント情報管理テーブルの一部を詳細に示す模式図である。
【符号の説明】
【０１４９】
８１      機能実行キー
８２      コメント情報
８３      注釈入力キー
８４      コメント情報表示用アイコン
１００    デジタル複合機（画像形成装置及び画像送信装置の一例）
１０１    制御部
１０５    管理部
１０５ｄ  機能情報管理テーブル
１０７    操作部
１０８    表示部
１１２ａ  コメント情報管理テーブル
【図１】
2010004364.tif 000003
【図２】
2010004364.tif 000004
【図３】
2010004364.tif 000005
【図４】
2010004364.tif 000006
【図５】
2010004364.tif 000007
【図６】
2010004364.tif 000008
【図７Ａ】
2010004364.tif 000009
【図７Ｂ】
2010004364.tif 000010
【図７Ｃ】
2010004364.tif 000011
【図８】
2010004364.tif 000012
【図９】
2010004364.tif 000013
【図１０】
2010004364.tif 000014
【図１１】
2010004364.tif 000015
【図１２】
2010004364.tif 000016
【図１３】
2010004364.tif 000017
【図１４】
2010004364.tif 000018
【図１５】
2010004364.tif 000019
【図１６】
2010004364.tif 000020
【図１７】
2010004364.tif 000021
【図１８】
2010004364.tif 000022
【図１９】
2010004364.tif 000023
【図２０】
2010004364.tif 000024
【図２１】
2010004364.tif 000025
【図２２】
2010004364.tif 000026